(57)【要約】【課題】インクタンクの設置場所の自由度が高く、インクの吐出動作を停止させることなくインクの粘度の変化量を計測することができるインク吐出装置を提供する。【解決手段】インクを吐出するインクジェットヘッドに供給路を経由してインクが流入し、インクジェットヘッドから回収路を経由してインクが流出する。供給路及び回収路の一方に送液ポンプが配置されている。供給側圧力センサが供給路内の圧力を計測し、回収側圧力センサが回収路内の圧力を計測する。制御装置が、供給側圧力センサ及び回収側圧力センサによって、時間を置いて計測された計測値に基づいて、インクの劣化度に依存する物理量を求め、物理量が閾値を超えたことを検知すると、所定のインク劣化時処理を実行する。【選択図】図１
2018149482.tif 000002
【特許請求の範囲】
【請求項１】
インクを吐出するインクジェットヘッドと、
前記インクジェットヘッドにインクを流入させる供給路と、
前記インクジェットヘッドからインクを流出させる回収路と、
前記供給路及び前記回収路の一方に配置された第１の送液ポンプと、
前記供給路内の圧力を計測する供給側圧力センサと、
前記回収路内の圧力を計測する回収側圧力センサと、
前記供給側圧力センサ及び前記回収側圧力センサによって、時間を置いて計測された計測値に基づいて、インクの劣化度に依存する物理量を求め、前記物理量が閾値を超えたことを検知すると、所定のインク劣化時処理を実行する制御装置と
を有するインク吐出装置。
【請求項２】
さらに、前記供給路及び前記回収路のうち前記第１の送液ポンプが配置されていない方の流路に配置された第２の送液ポンプを有し、
前記制御装置は、前記第１の送液ポンプ及び前記第２の送液ポンプを制御する請求項１に記載のインク吐出装置。
【請求項３】
さらに、前記インクジェットヘッドに流入させるインクを加温するヒータを有し、
前記インク劣化時処理は、前記ヒータによるインクの加温能力を変化させる処理を含む請求項１または２に記載のインク吐出装置。
【請求項４】
前記インク劣化時処理は、前記第１の送液ポンプの吐出量を変化させる処理を含む請求項１乃至３のいずれか１項に記載のインク吐出装置。
【請求項５】
前記インク劣化時処理は、前記インクジェットヘッドのインク吐出能力を変化させる処理を含む請求項１乃至４のいずれか１項に記載のインク吐出装置。
【請求項６】
さらに、オペレータに情報を報知する出力装置を有し、
前記インク劣化時処理は、前記出力装置からインクが劣化したことをオペレータに報知する情報を出力させる処理を含む請求項１乃至５のいずれか１項に記載のインク吐出装置。
【請求項７】
インクを吐出するインクジェットヘッドにインクを流入させる供給路内の圧力、及び前記インクジェットヘッドからインクを流出させる回収路内の圧力を、時間を置いて計測し、
前記供給路内の圧力及び前記回収路内の圧力の計測値に基づいて、インクの劣化度に依存する物理量を求めるインク劣化度検知方法。
【発明の詳細な説明】
【技術分野】
【０００１】
本発明は、インク吐出装置及びインク劣化度検知方法に関する。
【背景技術】
【０００２】
インクジェットヘッドからインクを吐出させてプリント基板等の対象物にインクを塗布する装置が公知である（特許文献１）。インクが劣化して粘度が高くなるとインクジェットヘッドからの吐出不良が生じやすくなる。
【０００３】
インク粘度に応じたメンテナンスができるようにしたインク循環型のインクジェットプリンタが知られている（特許文献２）。このインクジェットプリンタにおいては、インクジェットヘッドよりも高い位置に配置されたインクタンクから、インクジェットヘッドを経由して、インクジェットヘッドよりも低い位置に配置されたインクタンクまでの流路の配管抵抗に応じた値を計測する。配管抵抗に応じた値として、上側のインクタンクから下側のインクタンクまで、一定量のインクが輸送される時間、または一定時間に輸送されるインクの量が採用される。この配管抵抗に応じた値から、インクの粘度を推定することができる。
【先行技術文献】
【特許文献】
【０００４】
【特許文献１】特開２０１６−２０３１１８号公報
【特許文献２】特開２００９−２７４３６０号公報
【発明の概要】
【発明が解決しようとする課題】
【０００５】
特許文献２に開示されたインクジェットプリンタにおいては、インクの粘度を推定するために、インクジェットヘッドより高い位置及び低い位置に、それぞれインクタンクを配置しなければならない。さらに、配管抵抗に応じた値を測定するために、インクの吐出動作を停止させなければならない。
【０００６】
本発明の目的は、インクタンクの設置場所の自由度が高く、インクの吐出動作を停止させることなくインクの粘度の変化量を計測することができるインク吐出装置、及びインクの劣化度検知方法を提供することである。
【課題を解決するための手段】
【０００７】
本発明の一観点によると、
インクを吐出するインクジェットヘッドと、
前記インクジェットヘッドにインクを流入させる供給路と、
前記インクジェットヘッドからインクを流出させる回収路と、
前記供給路及び前記回収路の一方に配置された第１の送液ポンプと、
前記供給路内の圧力を計測する供給側圧力センサと、
前記回収路内の圧力を計測する回収側圧力センサと、
前記供給側圧力センサ及び前記回収側圧力センサによって、時間を置いて計測された計測値に基づいて、インクの劣化度に依存する物理量を求め、前記物理量が閾値を超えたことを検知すると、所定のインク劣化時処理を実行する制御装置と
を有するインク吐出装置が提供される。
【０００８】
本発明の他の観点によると、
インクを吐出するインクジェットヘッドにインクを流入させる供給路内の圧力、及び前記インクジェットヘッドからインクを流出させる回収路内の圧力を、時間を置いて計測し、
前記供給路内の圧力及び前記回収路内の圧力の計測値に基づいて、インクの劣化度に依存する物理量を求めるインク劣化度検知方法が提供される。
【発明の効果】
【０００９】
供給側圧力センサ及び回収側圧力センサの計測値に基づいて、インク吐出処理の実行中にインクの劣化度を検知することができる。また、インクジェットヘッドよりも高い位置及び低い位置の両方にインクタンクを配置する必要はない。インクが劣化した時点でインク劣化時処理を実行することにより、インクの劣化に対する早期の対応が可能である。
【図面の簡単な説明】
【００１０】
【図１】図１は、実施例によるインク吐出装置の概略図である。
【図２】図２は、インクの劣化度を判定する処理及びインク劣化時処理のフローチャートである。
【図３】図３は、他の実施例によるインク吐出装置の概略図である。
【図４】図４は、さらに他の実施例によるインク吐出装置の概略図である。
【発明を実施するための形態】
【００１１】
図１及び図２を参照して、実施例によるインク吐出装置について説明する。
図１は、実施例によるインク吐出装置の概略図である。インクを吐出するインクジェットヘッド１０のインク流入口に供給路２０が接続され、インク流出口に回収路３０が接続されている。供給路２０の他端及び回収路３０の他端がメインタンク４０に接続されている。メインタンク４０、供給路２０、インクジェットヘッド１０、及び回収路３０によって、インクの循環路が構成される。
【００１２】
供給路２０に送液ポンプ２１が配置され、回収路３０に他の送液ポンプ３１が配置されている。送液ポンプ２１は、メインタンク４０からインクジェットヘッド１０に向かう方向に供給路２０内のインクを輸送する。他方の送液ポンプ３１は、インクジェットヘッド１０からメインタンク４０に向かう方向に回収路３０内のインクを輸送する。送液ポンプ２１とインクジェットヘッド１０との間の供給路２０にバッファタンク２２が挿入されている。インクジェットヘッド１０と送液ポンプ３１との間の回収路３０に、バッファタンク３２が挿入されている。バッファタンク２２、３２は、それぞれ送液ポンプ２１、３１の動作に起因するインクの脈動を平準化する機能を持つ。
【００１３】
供給路２０からインクジェットヘッド１０にインクが流入し、インクジェットヘッド１０内を流れたインクが回収路３０に流出する。インクジェットヘッド１０の底面（以下、吐出面という。）に、ピエゾ駆動素子を含む複数のノズル孔が設けられている。ピエゾ駆動素子を駆動することにより、インクジェットヘッド１０内のインクを液滴化させてノズル孔から吐出させることができる。
【００１４】
インクジェットヘッド１０の吐出面に対向する位置に、ＸＹステージ７１によりインク塗布対象物７０が保持される。インク塗布対象物７０は、例えばプリント基板、タッチパネル用基板、液晶パネル用基板等である。ＸＹステージ７１は、インク塗布対象物７０を水平面内の二次元方向に移動させることができる。インクとして、例えばソルダーレジストインク、エッチングレジストインク、マーキングインク等が用いられる。
【００１５】
メインタンク４０は、供給路２０、インクジェットヘッド１０、及び回収路３０を循環するインクを一時的に蓄積する。メインタンク４０内にヒータ４１が配置されている。ヒータ４１は、制御装置５０から制御されて、メインタンク４０内のインクを目標とする温度まで加温する。目標とする温度まで加温されたインクが供給路２０を経由してインクジェットヘッド１０に供給される。インクジェットヘッド１０から回収路３０を経由してメインタンク４０に回収されたインクが、メインタンク４０内で目標とする温度まで加温される。供給路２０及び回収路３０を流れるインクの温度が低下しないように、供給路２０及び回収路３０を、保温用ヒータまたは保温材で取り囲むことが好ましい。さらに、バッファタンク２２、３２に、保温用ヒータを配置してもよい。メインタンク４０に廃液管４２が設けられている。廃液管４２に設けられた開閉バルブ４３を開くことにより、メインタンク４０内のインクを排出させることができる。
【００１６】
リザーブタンク４５内に、予備のインクが保管されている。リザーブタンク４５からメインタンク４０にインクを補充することができる。
【００１７】
供給路２０に供給側圧力センサ２５が取り付けられており、回収路３０に回収側圧力センサ３５が取り付けられている。供給側圧力センサ２５は、取り付け位置において供給路２０内の圧力を計測する。回収側圧力センサ３５は、取り付け位置において回収路３０内の圧力を計測する。供給側圧力センサ２５は、バッファタンク２２よりも下流側に取り付けられており、回収側圧力センサ３５は、バッファタンク３２よりも上流側に取り付けられている。
【００１８】
一般的には、供給側圧力センサ２５は、供給側圧力センサ２５とインクジェットヘッド１０との間の供給路２０の配管抵抗が時間的に変動しないような位置に取り付けることが好ましい。同様に、回収側圧力センサ３５は、インクジェットヘッド１０と回収側圧力センサ３５との間の回収路３０の配管抵抗が時間的に変動しないような位置に取り付けることが好ましい。供給側圧力センサ２５及び回収側圧力センサ３５は、それぞれインクジェットヘッド１０の流入口及び流出口の直近に取り付けることがより好ましい。図１では、インクジェットヘッド１０の吐出面から、供給側圧力センサ２５の取り付け位置までの高さと、吐出面から回収側圧力センサ３５の取り付け位置までの高さとが等しい例を示している。
【００１９】
制御装置５０が、プログラマブルロジックコントロール部（ＰＬＣ部）５１、吐出制御部５２、及び劣化判定部５３を含む。制御装置５０は、インクジェットヘッド１０、ＸＹステージ７１、送液ポンプ２１、３１、及びヒータ４１を制御する。さらに、出力装置６０に、オペレータに報知する種々の情報を出力させる。
【００２０】
ＰＬＣ部５１は、インクの送液の制御を実行する。以下、インクの送液の制御について説明する。
【００２１】
ＰＬＣ部５１は、供給側圧力センサ２５及び回収側圧力センサ３５によって計測された圧力の計測値に基づき、送液ポンプ２１、３１を制御する。具体的には、供給側圧力センサ２５の計測値Ｐｓ及び回収側圧力センサ３５の計測値Ｐｒに基づいて、両者の差Ｐｄ（以下、差圧という。）、及びインクジェットヘッド１０の吐出面におけるメニスカス圧Ｐｍを算出する。
【００２２】
差圧Ｐｄは、以下の式で表される。
【数１】
2018149482.tif 000003
【００２３】
メニスカス圧Ｐｍは、以下の式で表される。
【数２】
2018149482.tif 000004
ここで、Ｒｓは、供給側圧力センサ２５とインクジェットヘッド１０との間の供給路２０の配管抵抗であり、Ｒｒは、インクジェットヘッド１０と回収側圧力センサ３５との間の回収路３０の配管抵抗であり、ρはインクの密度であり、ｇは重力加速度であり、ｈはインクジェットヘッド１０の吐出面から供給側圧力センサ２５及び回収側圧力センサ３５の取り付け位置までの高さである。
【００２４】
ＰＬＣ部５１は、差圧Ｐｄ及びメニスカス圧Ｐｍが目標値に維持されるように、送液ポンプ２１、３１の吐出量を制御する。差圧Ｐｄを目標値に維持することにより、インクジェットヘッド１０内におけるインクの流量をインク粘度に応じた値に維持することができる。メニスカス圧Ｐｍを目標値に維持することにより、インクジェットヘッド１０からのインクの吐出を安定させることができる。さらに、ＰＬＣ部５１は、インクの劣化の度合いを算出するために必要な計測値を劣化判定部５３に通知する。
【００２５】
吐出制御部５２は、インクを塗布するパターンを定義するパターンデータ、及び所定の制御パラメータに基づいて、インクジェットヘッド１０及びＸＹステージ７１を制御する。制御パラメータには、例えばピエゾ駆動素子の駆動電圧、駆動波形等を指令するパラメータが含まれる。
【００２６】
劣化判定部５３は、ＰＬＣ部５１から通知された計測値に基づいて、インク劣化時処理を実行するか否かを判定し、インク劣化時処理を実行すると判定した場合には、必要な劣化時処理を実行する。インクの劣化によってインク吐出処理の制御パラメータを変更する必要があると判定した場合には、吐出制御部５２に制御パラメータの変更を指示する。インクが劣化したことをオペレータに報知する必要がある場合には、劣化判定部５３は、インクの劣化が許容値を超えたこと、またはインクの交換が必要なことをオペレータに報知するメッセージを出力装置６０に出力させる。さらに、劣化判定部５３はヒータ４１に対して温度の目標値を指令する。
【００２７】
次に、図２を参照して、劣化判定部５３が実行するインクの劣化度を判定する処理及びインクの劣化時に実行するインク劣化時処理について説明する。インクが劣化すると動粘度が上昇する。従って、インクの動粘度の変化量に基づいてインクの劣化度を判定することができる。
【００２８】
図２は、インクの劣化度を判定する処理及びインク劣化時処理のフローチャートである。この処理は、例えばインク吐出処理中に一定の周期で起動される。
【００２９】
劣化判定部５３（図１）は、ＰＬＣ部５１から、供給側圧力センサ２５の計測値Ｐｓ、及び回収側圧力センサ３５の計測値Ｐｒを取得する（ステップＳ０１）。取得した計測値Ｐｓ、Ｐｒに基づいて、前周期ｋ−１から今周期ｋまでのインクの動粘度の変化量Δμ（ｋ）を算出する（ステップＳ０２）。
【００３０】
以下、インクの動粘度の変化量Δμ（ｋ）の算出方法について説明する。パラメータを以下のように定義する。数式中でパラメータに付された（ｋ）及び（ｋ−１）は、それぞれ今周期ｋ及び前周期ｋ−１における値であることを意味する。
Ｒ：配管抵抗
ΔＲ：前周期から今周期までの配管抵抗Ｒの変化量
μ：インクの動粘度
Δμ：前周期から今周期までのインクの動粘度の変化量
【００３１】
周期ｋの時点における配管抵抗Ｒの変化量ΔＲ（ｋ）は、以下の式で表される。
【数３】
2018149482.tif 000005
【００３２】
式（３）から、周期ｋの時点におけるインクの動粘度の変化量Δμ（ｋ）は、以下の式で表されることがわかる。
【数４】
2018149482.tif 000006
【００３３】
次に、式（４）の右辺の配管抵抗の変化量ΔＲ（ｋ）の算出方法について説明する。
前周期のメニスカス圧Ｐｍ（ｋ−１）は以下の式で表される。
【数５】
2018149482.tif 000007
今周期のメニスカス圧Ｐｍ（ｋ）は以下の式で表される。
【数６】
2018149482.tif 000008
ここで、供給路２０の配管抵抗Ｒｓの変化量と、回収路３０の配管抵抗Ｒｒの変化量とは等しく、ともにΔＲであるとした。
【００３４】
メニスカス圧Ｐｍが目標値に維持されるように制御されているため、前周期のメニスカス圧Ｐｍ（ｋ−１）と、今周期のメニスカス圧Ｐｍ（ｋ）とは等しい。すなわち、以下の式が成立する。
【数７】
2018149482.tif 000009
【００３５】
式（５）〜式（１０）から、ΔＲについて整理すると、以下の式が導出される。
【数８】
2018149482.tif 000010
式（４）と式（８）とから、インクの動粘度の変化量Δμ（ｋ）を算出することができる。劣化判定部５３は、算出したインクの動粘度の変化量Δμ（ｋ）を記憶する（ステップＳ０２）。
【００３６】
式（８）の右辺の分母が０になると、配管抵抗Ｒの変化量ΔＲは不定になってしまうが、通常のインク循環中の条件では、分母が０になることはない。
【００３７】
劣化判定部５３は、算出したインクの動粘度の変化量Δμ（ｋ）を累積し、累積値Δμを算出する（ステップＳ０３）。累積値Δμは、以下の式で表される。
【数９】
2018149482.tif 000011
【００３８】
算出された累積値Δμは、例えばメインタンク４０に新しいインクを投入した時点で初期設定される。インクの劣化が進むとインクの動粘度が高くなる。インクの動粘度の変化量の累積値Δμは、インクの劣化の度合いを表していると考えることができる。
【００３９】
劣化判定部５３は、インクの動粘度の変化量の累積値Δμが第１閾値以上か否かを判定する（ステップＳ０４）。第１閾値は、例えば、許容される塗布品質が得られる累積値Δμの上限値に設定される。累積値Δμが第１閾値未満である場合には、今周期のインク劣化検知処理を終了する。このため、現時点の制御パラメータを用いて、インク吐出処理が継続される。
【００４０】
累積値Δμが第１閾値以上である場合には、制御パラメータが初期状態から変更済か否かを判定する（ステップＳ０５）。制御パラメータが変更されておらず、初期状態のままである場合には、劣化判定部５３はインク吐出処理の制御パラメータを変更し、変更後の制御パラメータを吐出制御部５２に通知する（ステップＳ０６）。吐出制御部５２は、劣化判定部５３から通知された変更後の制御パラメータに基づいて、インクの吐出制御を行う。
【００４１】
変更する制御パラメータとして、例えばインクの温度の目標値、インクの流量の目標値、インクジェットヘッド１０のピエゾ駆動素子の駆動電圧等を採用するとよい。例えば、インクの動粘度が上昇したら、インクの温度の目標値を高くするとよい。具体的には、ヒータ４１（図１）の加温能力を高めるとよい。これにより、メインタンク４０内のインクの温度が上昇し、インクの動粘度が低下する。
【００４２】
その他に、インクの動粘度が上昇したら、インクの流量の目標値を高くしてもよい。インクの流量は、差圧Ｐｄに依存する。インクの流量の目標値を高くすることは、差圧Ｐｄの目標値を大きくすることと等価である。差圧Ｐｄの目標値が変わると、ＰＬＣ部５１が送液ポンプ２１、３１の吐出量を変化させることにより、差圧Ｐｄを目標値に近づける。インクの流量が増加すると、供給路２０（図１）を輸送される期間のインクの温度の低下量が抑制される。その結果、インクジェットヘッド１０内のインクの温度が高く維持されるため、インクジェットヘッド１０内のインクの動粘度の上昇が抑制される。
【００４３】
さらに、その他に、インクの動粘度が上昇したら、インクジェットヘッド１０のインク吐出能力を変化させてもよい。例えば、ピエゾ駆動素子の駆動電圧を高くすることにより、インク吐出能力を高めるとよい。ピエゾ駆動素子の駆動電圧を高くすると、インクの動粘度が高くなっても安定した吐出を行うことができる。
【００４４】
制御パラメータが既に初期状態から変更されている場合には（ステップＳ０５）、インクの動粘度の変化量の累積値Δμが、第１閾値より大きな第２閾値以上か否かを判定する（ステップＳ０７）。累積値Δμが第２閾値未満である場合には、インクの劣化度を判定する処理を終了する。これにより、変更後の制御パラメータの設定値を用いたインクの吐出処理が継続される。
【００４５】
累積値Δμが第２閾値以上である場合には、劣化判定部５３は、インクが劣化したことをオペレータに報知する（ステップＳ０８）。例えば、出力装置６０に、「インクが劣化しました。インクを交換してください。または、装置を洗浄してください。」というメッセージを出力させる。
【００４６】
このメッセージに気付いたオペレータは、インクの交換、装置の洗浄等の適切な処置を行う。例えば開閉バルブ４３（図１）を開いてインクの一部を廃棄するとともに、新しいインクをリザーブタンク４５（図１）からメインタンク４０（図１）に補充する。この操作により、インクの動粘度を低下させることができる。または、オペレータは、インクをすべて廃棄した後、装置を洗浄して、新しいインクをメインタンク４０に投入してもよい。どのようなメンテナンスを行うかは、オペレータが装置の状態、塗布品質等に基づいて決定するとよい。
【００４７】
次に、上記実施例の優れた効果について説明する。
上記実施例では、インクの塗布処理中にインクの動粘度の変化量、すなわちインクの劣化度を算出することができる。インクの劣化度を算出するために、インク塗布処理を中断させる必要がないため、インク吐出装置の稼働率の低下を抑制することができる。
【００４８】
インクの動粘度が上昇しても、インク吐出制御の制御パラメータを変更することにより、塗布品質の低下を抑制することができる。インクの動粘度がさらに上昇すると、インクが劣化したことをオペレータに報知するため、オペレータはインクの劣化に早期に気付くことができる。オペレータは、早期に保守点検作業を行うことにより、インクの劣化による歩留まりの低下を抑制することができる。
【００４９】
上記実施例では、インクの劣化度を判定する処理において、インクの動粘度の変化量を算出したが（ステップＳ０２）、インクの動粘度そのものではなく、インクの動粘度に依存する物理量を算出してもよい。式（４）からわかるように、インクの動粘度の変化量Δμ（ｋ）は、配管抵抗の変化量ΔＲ（ｋ）に比例する。このため、配管抵抗の変化量ΔＲ（ｋ）の累積値に基づいて、インクの劣化度を判定してもよい。
【００５０】
上記実施例では、インクジェットヘッド１０の吐出面から供給側圧力センサ２５の取り付け位置までの高さと、吐出面から回収側圧力センサ３５の取り付け位置までの高さとを等しくしたが、必ずしも両者の高さを一致させる必要はない。両者の高さが一致しない場合、式（２）の高さｈとして、両者の高さの平均値を採用するとよい。
【００５１】
次に、図３を参照して他の実施例によるインク吐出装置について説明する。以下、図１及び図２に示した実施例と共通の構成については説明を省略する。
【００５２】
図３は、本実施例によるインク吐出装置の概略図である。図１に示した実施例では、送液ポンプ２１とインクジェットヘッド１０との間の供給路２０にバッファタンク２２を配置し、インクジェットヘッド１０と送液ポンプ３１との間の回収路３０にバッファタンク３２を配置した。図２に示した実施例では、供給路２０及び回収路３０にバッファタンクが配置されていない。
【００５３】
バッファタンク２２、３２（図１）は、送液ポンプ２１、３１の動作に起因する脈動を平準化するためのものである。送液ポンプ２１、３１の動作に起因する脈動がインクの吐出に影響を及ぼさない程度のものである場合には、図２に示した実施例のようにバッファタンク２２、３２を配置しなくてもよい。また、供給路２０及び回収路３０の一方のみにバッファタンクを配置してもよい。
【００５４】
次に、図４を参照してさらに他の実施例によるインク吐出装置について説明する。以下、図１及び図２に示した実施例との共通の構成については説明を省略する。
【００５５】
図４は、本実施例によるインク吐出装置の概略図である。図１に示した実施例では、供給路２０及び回収路３０に、それぞれ送液ポンプ２１、３１が配置されていた。図４に示した実施例では、供給路２０に送液ポンプが配置されておらず、回収路３０のみに送液ポンプ３１が配置されている。また、供給路２０及び回収路３０のいずれにもバッファタンクが配置されていない。
【００５６】
図４に示した実施例のように、供給路２０に送液ポンプを配置せず、回収路３０のみに送液ポンプ３１を配置してもよい。逆に、回収路３０に送液ポンプを配置せず、供給路２０のみに送液ポンプ２１を配置してもよい。このように、供給路２０及び回収路３０の一方のみに送液ポンプを配置することにより、装置の低コスト化を図ることができる。
【００５７】
送液ポンプの配置数を１台のみにすると、インクの循環制御の自由度が低下する。このため、インクジェットヘッド１０の供給側と回収側との差圧Ｐｄ、及びインクジェットヘッド１０の吐出面におけるメニスカス圧Ｐｍの両方を同時に目標値に維持させることが困難になる。インクの循環制御の自由度を高めるために、供給路２０及び回収路３０のうち送液ポンプが配置されていない方の流路に、配管抵抗を調整するための流量調整バルブ等を挿入するとよい。
【００５８】
上述の各実施例は例示であり、異なる実施例で示した構成の部分的な置換または組み合わせが可能であることは言うまでもない。複数の実施例の同様の構成による同様の作用効果については実施例ごとには逐次言及しない。さらに、本発明は上述の実施例に制限されるものではない。例えば、種々の変更、改良、組み合わせ等が可能なことは当業者に自明であろう。
【符号の説明】
【００５９】
１０  インクジェットヘッド
２０  供給路
２１  送液ポンプ
２２  バッファタンク
２５  供給側圧力センサ
３０  回収路
３１  送液ポンプ
３２  バッファタンク
３５  回収側圧力センサ
４０  メインタンク
４１  ヒータ
４２  廃液管
４３  開閉バルブ
４５  リザーブタンク
５０  制御装置
５１  ＰＬＣ部
５２  吐出制御部
５３  劣化判定部
６０  出力装置
７０  インク塗布対象物
７１  ＸＹステージ
【図１】
2018149482.tif 000012
【図２】
2018149482.tif 000013
【図３】
2018149482.tif 000014
【図４】
2018149482.tif 000015